(57)【要約】【課題】固定用ネジの締め付け力が緩んでも外れ難く、安全性が高くフックの取付けが簡単なトップハンドルソーのフック取付け構造を提供する。【解決手段】トップハンドルソー１吊り下げ用のフック２１を回動可能に軸支するフック取付け金具２０の係合片２０Ｂ，２０Ｃを、トップハンドルソー１の本体ケース後端部２Ａに設けたフック取付け部１０の係合溝部１１ａ，１１ｂに、本体ケース２側面側から水平方向にスライドさせて係合させ、本体ケース２側面側からネジ２２により本体ケース２に締め付け固定する構成とした。【選択図】図２
2016199005.tif 000002
【特許請求の範囲】
【請求項１】
携帯型作業機械吊り下げ用のフックを回動可能に軸支するフック取付け金具を、前記携帯型作業機械の本体ケース後端部に形成した係合溝部に、本体ケース側面側から水平方向にスライドさせて係合させると共に、前記本体ケース側面側から締結具により前記本体ケースに締め付け固定する構成とした携帯型作業機械のフック取付け構造。
【請求項２】
前記フックを、前記フック取付け金具を介して前記本体ケースの上下方向に回動可能なように取付けた請求項１に記載の携帯型作業機械のフック取付け構造。
【請求項３】
前記フックを、吊り下げた携帯型作業機械の重心位置を通る垂線上又は前記垂線の近傍に取付けた請求項１又は２に記載の携帯型作業機械のフック取付け構造。
【請求項４】
前記フック取付け金具は、前記フックを軸支する軸支部と、該軸支部に沿って設けられ前記本体ケースの上下方向に突設されて前記係合溝部に係合する係合片と、前記締結具の挿通孔を有し前記締結具により前記本体ケースに締め付け固定される固定部と、を備える構成である請求項１に記載の携帯型作業機械のフック取付け構造。
【請求項５】
前記携帯型作業機械は、前記本体ケースの上方にトップハンドルを備え、前記本体ケースに収納した動力源によってガイドバーに巻回したソーチェーンを回転させる構成のトップハンドルソーである請求項１〜４のいずれか１つに記載の携帯型作業機械のフック取付け構造。
【発明の詳細な説明】
【技術分野】
【０００１】
本発明は、携帯型作業機械を作業者が吊り下げる場合に使用する携帯型作業機械のフックの取付け構造に関する。
【背景技術】
【０００２】
携帯型作業機械として、例えばトップハンドルソーと称されるチェンソーがある。このトップハンドルソーは、例えば作業者が木の上で木の枝等の切断作業をするような場合に、木に登った作業者によってロープ等で吊り上げられることがある。また、作業者は木の上で作業場所を移動する場合があるが、この場合には移動時に体を両手で支えるため、トップハンドルソーを肩や腰に取付けたベルト等に吊り下げて両手が自由に使えるようにする必要がある。このため、従来から特許文献１に記載されているように、トップハンドルソーには、本体ケースの後端部にフックが設けられている。このフックの取付け構造は、上記のように作業者によって吊り上げられるときや作業者が移動するとき等に木や枝に引っ掛かったりして大きな引っ張り荷重がフックの取付け部分に掛かったとしても、外れ難い構造であることが要求される。
【先行技術文献】
【特許文献】
【０００３】
【特許文献１】米国特許第５２７２８１３号明細書
【発明の概要】
【発明が解決しようとする課題】
【０００４】
しかしながら、特許文献１に記載されたトップハンドルソーのフック取付け構造は、フックを取り付けるためのフック取付け金具を本体ケースに１本のネジだけで締め付け固定し、本体ケースにフックを取付ける構造である。このため、ネジの締め付け力が緩んだ場合には、フックが本体ケースから外れてしまうおそれがある。
【０００５】
本発明は上記課題を解決するためになされたもので、フック固定用の締結具の締め付け力が緩んでも外れ難く、かつ、取付けが比較的簡単な携帯型作業機械のフック取付け構造を提供することを目的とする。
【課題を解決するための手段】
【０００６】
このため、本発明の携帯型作業機械のフック取付け構造は、携帯型作業機械吊り下げ用のフックを回動可能に軸支するフック取付け金具を、前記携帯型作業機械の本体ケース後端部に形成した係合溝部に、本体ケース側面側から水平方向にスライドさせて係合させると共に、前記本体ケース側面側から締結具により前記本体ケースに締め付け固定する構成としたことを特徴とする。
【発明の効果】
【０００７】
本発明の携帯型作業機械のフック取付け構造によれば、フック取付け金具を固定している締結具が外れたり締結具の締め付け力が緩んだりしても、係合溝部との係合により、直ちにフックが本体ケースから外れてしまうことがない。また、本体ケース側面側から係合溝部内にフック取付け金具をスライドさせて締結具で締め付け固定すればよいので、フックの取付けが比較的簡単である。
【図面の簡単な説明】
【０００８】
【図１】本発明のフック取付け構造を適用した携帯型作業機の実施形態を示す後方斜視図である。
【図２】フックの取付け説明図である。
【図３】同上実施形態で使用するフックの斜視図である。
【図４】同上実施形態で使用するフック取付け金具の斜視図である。
【図５】フック取付け状態を示す拡大破断面図である。
【図６】フックを取付けた本体ケース後端部の断面図である。
【発明を実施するための形態】
【０００９】
以下、添付図面を参照しつつ本発明の実施形態について説明する。
図１は、本発明のフック取付け構造の一実施形態を適用した携帯型作業機としてのチェンソー（トップハンドルソー）の後方斜視図であり、図２はフックの取付け説明図であり、図３はフックの斜視図であり、図４はフック取付け金具の斜視図であり、図５はフック取付け状態を示す拡大破断面であり、図６はフックを取付けた本体ケース後端部の断面図である。
【００１０】
本実施形態によるチェンソー１は、図１に示すように、図示省略の駆動源（例えばエンジン）を収容した本体ケース２と、本体ケース２から前方に突出して設けられたガイドバー３及びソーチェーン４と、本体ケース２の上方において前後方向に延びるトップハンドル５と、を有する。
【００１１】
ガイドバー３は、その後端側が本体ケース２内に固定されており、その周縁部にソーチェーン４が巻回されている。ソーチェーン４は、ガイドバー３の周縁部と本体ケース２内に設けられたスプロケット（図示せず）とに巻回されており、エンジンの動力によりスプロケットが回転駆動することにより、ガイドバー３に沿って走行する。
【００１２】
トップハンドル５には、操作レバー７、ロックレバー８及びトップハンドル５下側のスロットルレバー（図示せず）等の操作機構部品が組み付けられている。
【００１３】
本体ケース２の後端部２Ａには、フック取付け部１０が設けられている。前記フック取付け部１０は、図２に示すように、本体ケース後端部２Ａ内側に水平方向に形成されてフック取付け金具２０を係合保持するための係合溝部１１ａ，１１ｂと、係合溝部１１ａ，１１ｂと平行に設けられフック取付け金具２０を締め付け固定するための締結具であるネジ２２をねじ込むためのネジ穴１２と、フック２１を使用しないときにフック２１を収納するための収納凹部１３と、を備えている。係合溝部１１ａ，１１ｂは、本体ケース後端部２Ａの上下方向にそれぞれ形成されている。そして、フック取付け部１０を、チェンソー１を吊り下げたときに、チェンソー１の重心位置を通る垂線上又は垂線の近傍の本体ケース後端部２Ａ部位に設けている。
【００１４】
前記フック取付け部１０に取付けるフック２１は、図３に示すように金属の棒状部材を略かまぼこ状（略半月状）に折曲し、両端部２１ａ，２１ａをフック内側に向けて折曲した形状に形成されている。フック取付け金具２０は、図４，図６に示すように、略半円弧状に折曲され中央部に切込みが設けられた形状でフック２１を回動可能に軸支する軸支部２０Ａと、この軸支部２０Ａに沿って設けられ軸支部２０Ａの上下方向にそれぞれ突設されて前記係合溝部１１ａ，１１ｂに係合する係合片２０Ｂ，２０Ｃと、前記ネジ２２の挿通孔２０ａを有しネジ２２頭部と本体ケース２側との間で挟持固定される固定部２０Ｄと、を備えている。
【００１５】
次に、フック取付け部１０にフック２１を取付ける場合について図２を参照して説明する。
フック取付け金具２０の軸支部２０Ａの中央部の切込みに、フック２１の両端部２１ａ，２１ａが位置するようにして、フック取付け金具２０の軸支部２０Ａにフック２１を回動可能に取付ける。その後、フック２１が取り付けられたフック取付け金具２０の上下の係合片２０Ｂ，２０Ｃを、本体ケース後端部２Ａ側の係合溝部１１ａ，１１ｂに、本体ケース２の側面側から水平方向にスライドさせて挿入する。これにより、図６に示すように、フック取付け金具２０の上下の係合片２０Ｂ，２０Ｃが本体ケース２側の係合溝部１１ａ，１１ｂに係合し、フック取付け金具２０が本体ケース後端部２Ａのフック取付け部１０に係合される。次に、ネジ２２を挿通孔２０ａに通し、本体ケース後端部２Ａに設けたネジ穴１２にねじ込む。これにより、フック取付け金具２０の固定部２０Ｄが、ネジ２２頭部とネジ穴１２の周囲壁とで挟持されることにより、図５に示すように、フック取付け金具２０が本体ケース２のフック取付け部１０に締め付け固定される。
【００１６】
かかる本実施形態のフック取付け構造によれば、フック取付け金具２０を取付け際のフック取付け金具２０のスライド方向に、ネジ２２をねじ込んでフック取付け金具２０を締め付け固定するので、取付け後にフック２１に強い引っ張り荷重が作用しても、ネジ２２が緩み難い。また、万が一、ネジ２２の締め付け力が緩んだとしても、係合片２０Ｂ，２０Ｃと係合溝部１１ａ，１１ｂとの係合によって、フック取付け金具２０が本体ケース後端部２Ａから外れることを防ぐことができる。従って、ネジ１本で本体ケースに固定している従来のフック取付け構造に比べてフック２１が本体ケース２から外れ難く、フック２１を利用したチェンソー１の安定した吊り下げが可能である。
【００１７】
また、チェンソー１を吊り下げたときにチェンソーの重心を通る垂線上又はその近傍の本体ケース２部分にフック２１を取り付けてあるので、チェンソー１を吊り下げたときにチェンソー１（のガイドバー３及びソーチェーン４）が略真っ直ぐ下に向くことになる。このため、木に登った作業者が吊り上げる際に木や枝に引っ掛かり難く、また、作業者の腰ベルトのハンガーに吊り下げられた際に作業者の邪魔にならず携帯性がよい。更に、ネジ２２一本でフック２１を本体ケース２に取付けることができるので、フック２１の取付け作業が容易である。
【００１８】
更には、フック２１はフック取付け金具２０を介して本体ケース２の上下方向に回動可能なように取付けられており、フック２１の開口面（引っ掛け面）が本体ケース２の上下方向に向いている。このため、フック２１を作業者の腰ベルトのハンガーなどに真っ直ぐ上から差し込むことができ、作業性や着脱性が良好である。
【００１９】
尚、上記実施形態では、携帯型作業機がチェンソーである場合について説明したが、これに限るものではなく、本発明は、作業者等によって吊り下げられることが想定されるあらゆる携帯型作業機に適用できることは言うまでもない。
【符号の説明】
【００２０】
１    チェンソー
２    本体ケース
２Ａ    本体ケース後端部
３    ガイドバー
４    ソーチェーン
５    トップハンドル
１０    フック取付け部
１１Ａ，１１Ｂ    係合溝部
１２    ネジ穴
１３    収納凹部
２０    フック取付け金具
２０Ａ    軸支部
２０Ｂ，２０Ｃ    係合片
２０Ｄ    固定部
２１    フック
２２    ネジ
【図１】
2016199005.tif 000003
【図２】
2016199005.tif 000004
【図３】
2016199005.tif 000005
【図４】
2016199005.tif 000006
【図５】
2016199005.tif 000007
【図６】
2016199005.tif 000008